(57)【要約】【課題】  音声データの低域成分を各チャンネルに振り分けるバスマネージメント機能を入力チャンネル数に応じてＯＮ／ＯＦＦ設定する場合、制御部では常に入力チャンネル数を監視し、変化があった場合にバスマネージメント機能をＯＮ／ＯＦＦする制御が必要となる。【解決手段】  再生部１０１にて、復号処理部１０２で検出したチャンネル数が２チャンネルの場合には、バスマネージメント処理判定部１０３がバスマネージメント処理部１０４を制御することにより、バスマネージメント処理を自動的にＯＦＦする。【選択図】  図１
2007053553.tif 000002
【特許請求の範囲】
【請求項１】
音声データの低域成分を各チャンネルに振り分けるバスマネージメント機能を有する音声再生装置であって、
再生部と、当該再生部を制御する制御部とを備え、
前記再生部は、
入力された音声ストリームを復号する復号処理部と、
復号された音声データに対して低域成分を各チャンネルに振り分ける処理を行うバスマネージメント処理部と、
バスマネージメント処理を実行するかどうかを判定するバスマネージメント処理判定部とを有し、
入力された音声ストリームが２チャンネルの場合には前記再生部でバスマネージメント処理を自動でＯＦＦにする機能を備えたことを特徴とする音声再生装置。
【請求項２】
請求項１記載の音声再生装置において、
入力された音声ストリームが２チャンネルの場合にバスマネージメント処理を自動でＯＦＦにするかどうかを選択可能にするインターフェースを更に備えたことを特徴とする音声再生装置。
【請求項３】
音声データの低域成分を各チャンネルに振り分けるバスマネージメント機能を有する音声再生装置であって、
再生部と、当該再生部を制御する制御部とを備え、
前記再生部は、
入力された音声ストリームを復号する復号処理部と、
復号された音声データに対して低域成分を各チャンネルに振り分ける処理を行うバスマネージメント処理部と、
入力された音声ストリームが２チャンネルの場合にダウンミックス出力用のデータをフロントＬ／Ｒチャンネルにコピーするデータコピー処理部とを有することを特徴とする音声再生装置。
【発明の詳細な説明】
【技術分野】
【０００１】
本発明は、広くはディジタル信号処理技術に関し、特に外部よりディジタルオーディオ信号を入力し、オーディオ復号処理、低音再生処理等、様々な音響処理を行ってＰＣＭデータを外部へ出力する音声再生装置に関するものである。
【背景技術】
【０００２】
近年、ＤＶＤ等のマルチチャンネル環境とソフトウェアの普及により、３チャンネル以上のディジタルオーディオを再生する装置が増加している。ＤＶＤに記録されている音声は、一般的に５．１チャンネルのディジタルオーディオであり、正しく再生するためには５本のスピーカと１本の低音再生用サブウーファーとが必要になる。更に、５本のスピーカは低音成分も正しく再生できるだけの能力が要求される。
【０００３】
ある従来技術によれば、５．１チャンネル用に６本のスピーカが全て接続されるケースだけでなく、そのうちの２本のみが接続されるケースもあることを想定して、実際に接続されたスピーカ構成に応じて音声出力設定を自動的に切り替える（特許文献１参照）。
【特許文献１】特開２００３−１３４５９１号公報
【発明の開示】
【発明が解決しようとする課題】
【０００４】
近年では、ＤＶＤプレーヤは一般家庭で用いられる据え置き型の再生機器だけでなくカーナビ一体型の車載プレーヤとしても普及している。映像、音声を復号するＬＳＩは据え置き型、車載型を問わず共通のものを使用可能である。しかし、使用用途の違いからＬＳＩの仕様について個別の要求がされることが少なくない。
【０００５】
ＤＶＤ再生機能をもつ機器には５．１チャンネルのディジタルオーディオだけでなく、音楽ＣＤのような２チャンネルのディジタルオーディオも入力されるため、オーディオデータのチャンネル数に応じた制御が必要になる場合がある。
【０００６】
ＤＶＤ再生機能をもつ機器はオーディオデータ中の低域成分を抽出してサブウーファーに振り分けるバスマネージメント機能を搭載しているものが多い。一方、車載用途のプレーヤにおいては復号ＬＳＩの後段に音響処理用ＤＳＰを接続するケースが多く、２チャンネルのディジタルオーディオが入力された場合には復号ＬＳＩではバスマネージメント処理等を行わないデータを出力したいため、バスマネージメント機能をＯＦＦする制御を行うケースが考えられる。
【０００７】
また、入力されるオーディオデータのチャンネル数は記録されているデータによっては再生中に変化する場合があり、再生中に常にチャンネル数を監視し２チャンネルに切り替わった場合にバスマネージメント機能のＯＦＦ制御を行わなければならない。
【０００８】
以上のことから、車載型プレーヤのシステム制御部では再生しているオーディオデータのチャンネル数を常に監視し、変化があった場合にはバスマネージメントのＯＮ／ＯＦＦ制御を行う必要がある。
【０００９】
本発明の目的は、このような従来の車載型プレーヤのシステム制御部での処理の軽減を可能にし、更に据え置き型向けでも使用可能な共通ＬＳＩを供給するためのインターフェースをもった音声再生装置を提供することにある。
【課題を解決するための手段】
【００１０】
上記目的を達成するため、本発明の音声再生装置は、２チャンネルストリームが入力された場合に再生部においてバスマネージメント処理を自動でＯＦＦする機能を備え、また自動ＯＦＦするモードを使用するかどうかを選択可能にしたものである。
【発明の効果】
【００１１】
本発明によれば、映像、音声を復号するＬＳＩにチャンネル数の切り替わりを検出し、２チャンネルの場合にはバスマネージメント機能を自動でＯＦＦする機能を持たせることにより、システム制御部の処理負担を軽減することが可能となる。また、バスマネージメント機能の自動ＯＦＦ機能を動作させるかどうかを指定できるインターフェースを持たせることにより、据え置き型、車載型向けに共通のＬＳＩを提供することが可能となる。
【発明を実施するための最良の形態】
【００１２】
《第１の実施形態》
図１は、本発明の第１の実施形態に係る音声再生装置の一構成例を示すブロック図である。図１の音声再生装置は、大きく制御部１００と、再生部１０１とで構成される。再生部１０１は、復号処理部１０２と、バスマネージメント処理判定部１０３と、バスマネージメント処理部１０４とで構成される。Ａは音声入力データ、Ｂは復号処理後の音声データ、Ｃは音声出力データ、Ｄは再生制御信号、Ｅは入力ストリームのチャンネル数情報、Ｆはバスマネージメント制御信号である。
【００１３】
図２は、図１中の再生部１０１の処理手順を示すフローチャートである。図２において、１１０は入力ストリーム判定処理、１１１はバスマネージメント処理である。
【００１４】
バスマネージメント処理判定部１０３は、復号処理部１０２で検出したチャンネル数情報Ｅを用いて、２チャンネルの場合にバスマネージメント処理１０４を行わない制御を行う。これにより、制御部１００ではチャンネル数によるバスマネージメント処理のＯＮ／ＯＦＦ操作が不要となる。
【００１５】
《第２の実施形態》
図３は、本発明の第２の実施形態に係る音声再生装置の一構成例を示すブロック図である。図３の音声再生装置は、大きく制御部２００と、再生部２０１とで構成される。再生部２０１は、復号処理部２０２と、バスマネージメント処理判定部２０３と、バスマネージメント処理部２０４とで構成される。Ｇは音声入力データ、Ｈは復号処理後の音声データ、Ｉは音声出力データ、Ｊは再生制御信号、Ｋは動作モード制御信号、Ｌは入力ストリームのチャンネル数情報、Ｍはバスマネージメント制御信号である。
【００１６】
図４は、図３中の再生部２０１の処理手順を示すフローチャートである。図４において、２１０はバスマネージメント自動モード判別処理、２１１は入力ストリーム判定処理、２１２はバスマネージメント処理である。
【００１７】
バスマネージメント処理判定部２０３は、復号処理部２０２で検出したチャンネル数情報Ｌを用いて、２チャンネルの場合にバスマネージメント処理２０４を行わない制御を行う。これにより、制御部２００ではチャンネル数によるバスマネージメント処理のＯＮ／ＯＦＦ操作が不要となる。また、再生部２０１で自動的にバスマネージメント処理をＯＮ／ＯＦＦ処理するかどうかの動作モードを動作モード制御信号Ｋとして設定可能なインターフェースを備える。これにより、自動ＯＮ／ＯＦＦする必要のないシステムでも使用可能な再生装置となる。
【００１８】
《第３の実施形態》
図５は、本発明の第３の実施形態に係る音声再生装置の一構成例を示すブロック図である。図５の音声再生装置は、大きく制御部３００と、再生部３０１とで構成される。再生部３０１は、復号処理部３０２と、バスマネージメント処理部３０３と、データコピー処理部３０４とで構成される。Ｎは音声入力データ、Ｏは復号処理後の音声データ、Ｐはバスマネージメント後の音声データ、Ｑは音声出力データ、Ｒは再生制御信号、Ｓは入力ストリームのチャンネル数情報である。
【００１９】
図６は、図５中の再生部３０１の処理手順を示すフローチャートである。図６において、３１０はバスマネージメント処理、３１１は入力ストリーム判定処理、３１２はＤＬ／ＤＲ→ＦＬ／ＦＲコピー及びＬＦＥ０クリア処理である。
【００２０】
データコピー処理部３０４は、復号処理部３０２で検出したチャンネル数情報Ｓを用いて、２チャンネルの場合にダウンミックスチャンネルのデータ（ＤＬ／ＤＲ）をフロントＬ，Ｒ（ＦＬ／ＦＲ）にコピーし、かつＬＦＥチャンネルのゼロ・クリア処理を行う。これにより、フロントＬ，Ｒチャンネルにはバスマネージメント処理前のデータが入ることになり、制御部３００ではチャンネル数によるバスマネージメント処理のＯＮ／ＯＦＦ操作が不要となる。
【産業上の利用可能性】
【００２１】
以上説明してきたとおり、本発明に係る音声再生装置は、入力チャンネル数に応じてバスマネージメント処理のＯＮ／ＯＦＦ制御を行う場合の制御部の処理簡略化を図り、また自動ＯＮ／ＯＦＦ機能を使用するかどうかを設定するインターフェースを持つことにより、据え置き、車載等の使用用途の異なるプレーヤに対して共通のＬＳＩが提供可能になるので、多様性のある音声再生装置として有用である。
【図面の簡単な説明】
【００２２】
【図１】本発明の第１の実施形態に係る音声再生装置の一構成例を示す回路ブロック図である。
【図２】図１中の再生部の処理手順を示すフローチャートである。
【図３】本発明の第２の実施形態に係る音声再生装置の一構成例を示す回路ブロック図である。
【図４】図３中の再生部の処理手順を示すフローチャートである。
【図５】本発明の第３の実施形態に係る音声再生装置の一構成例を示す回路ブロック図である。
【図６】図５中の再生部の処理手順を示すフローチャートである。
【符号の説明】
【００２３】
１００，２００，３００  制御部
１０１，２０１，３０１  再生部
１０２，２０２，３０２  復号処理部
１０３，２０３  バスマネージメント処理判定部
１０４，２０４，３０３  バスマネージメント処理部
３０４  データコピー処理部
【図１】
2007053553.tif 000003
【図２】
2007053553.tif 000004
【図３】
2007053553.tif 000005
【図４】
2007053553.tif 000006
【図５】
2007053553.tif 000007
【図６】
2007053553.tif 000008